(57)【特許請求の範囲】
【請求項１】
ノンリニアアクセス可能な記録媒体を用いてデータの記録及び再生を行う記録再生部と、
外部より入力された映像信号からの同期信号の抽出及びクロック信号の生成を含む前処理を経て該映像信号を前記記録再生部に転送し、前記記録再生部から転送された映像信号を外部に出力する少なくとも１つの入出力部と、
外部より供給される基準ビデオ信号から同期信号の抽出及びクロック信号の生成を行うタイミング信号生成部と、
前記入出力部での前記前処理を終えた映像信号と前記入出力部により外部に出力される映像信号とを切り換えてモニター用に出力するモニター出力部と
を有しており、
前記モニター出力部は、
前記入出力部で抽出・生成された同期信号・クロック信号と前記タイミング信号生成部で抽出・生成された同期信号・クロック信号とのうちのいずれかを選択する選択手段と、
前記選択手段で選択されたクロック信号を動作クロックとして、前記選択手段で選択された同期信号を用いて同期信号を再生する同期信号再生手段と
を備え、前記同期信号再生手段で再生した同期信号をモニター用に出力することを特徴とする映像記録再生装置。
【請求項２】
請求項１に記載の映像記録再生装置において、
前記同期信号再生手段は、
前記選択手段で選択された同期信号を用いて、カラーフレームのスタート位置を示すパルスを生成するパルス生成手段と、
前記パルス生成手段で生成されたパルスを、前記選択手段で選択された同期信号が抽出された信号と位相が一致するまでシフトさせるシフト手段と、
前記シフト手段でシフトされたパルスから同期信号を生成する同期信号生成手段とから成ることを特徴とする映像記録再生装置。
【請求項３】
ノンリニアアクセス可能な記録媒体を用いてデータの記録及び再生を行う記録再生部と、
外部より入力された映像信号からの同期信号の抽出及びクロック信号の生成を含む前処理を経て該映像信号を前記記録再生部に転送し、前記記録再生部から転送された映像信号を外部に出力する少なくとも１つの入出力部と、
外部より供給される基準ビデオ信号から同期信号の抽出及びクロック信号の生成を行うタイミング信号生成部と、
前記入出力部での前記前処理を終えた映像信号と前記入出力部により外部に出力される映像信号とを切り換えてモニター用に出力するモニター出力部と
を有する映像記録再生装置におけるモニター用信号の出力方法において、
前記入出力部で抽出・生成された同期信号・クロック信号と前記タイミング信号生成部で抽出・生成された同期信号・クロック信号とのうちのいずれかを選択する第１ステップと、
前記第１ステップで選択したクロック信号を動作クロックとして、前記第１ステップで選択した同期信号を用いて同期信号を再生する第２ステップと、
前記第２ステップで再生した同期信号を映像信号とともにモニター用に出力する第３ステップと
を含んだことを特徴とするモニター用信号の出力方法。
【請求項４】
請求項３に記載のモニター用信号の出力方法において、
前記基準ビデオ信号と非同期の映像信号が入出力部に入力され、入出力部での前処理を終えた該映像信号をモニター用に出力する際には、前記第１ステップにおいて、前記入出力部で抽出・生成された同期信号・クロック信号を選択することを特徴とするモニター用信号の出力方法。
【請求項５】
請求項３または４に記載のモニター用信号の出力方法において、前記第２ステップでは、前記第１ステップで選択した同期信号を用いて、カラーフレームのスタート位置を示すパルスを生成し、前記第１ステップで選択した同期信号が抽出された信号と位相が一致するまで前記パルスをシフトさせ、シフトした前記パルスから同期信号を生成することを特徴とするモニター用信号の出力方法。
【発明の詳細な説明】
【０００１】
【発明の属する技術分野】
本発明は、例えばＡＶサーバのように、複数チャンネルで同時に映像信号を入出力するとともに、現在入出力中の映像信号をモニター用に出力する映像記録再生装置に関する。
【０００２】
【従来の技術】
近年、ＣＡＴＶ（ケーブルテレビ）等の普及によるデータ提供の多チャンネル化に伴い、従来のＶＴＲ（ビデオテープレコーダ）とは異なり、１台の映像・音声映像記録再生装置で複数の映像・音声データ（以下「ＡＶデータ」と呼ぶ）を同時に記録したり、再生したり、さらには記録しながら再生したり等の要求が高まりつつある。そして、この要求を満たすためにハードディスク等のランダムアクセス可能な記録媒体を用いて映像・音声を記録再生するビデオサーバ（またはＡＶ（Ａｕｄｉｏ  ａｎｄ／ｏｒ  Ｖｉｄｅｏ）サーバとも呼ばれる）と呼ばれる装置が普及しつつある。
【０００３】
一般的に、放送局内におけるＡＶサーバは、画質や音質に対する要求から、必要とされるデータの転送レートが高い上に長時間のデータを記録するために大容量である必要がある。そこで、ＡＶデータを蓄積するとともに並列処理が可能な複数のハードディスク（以下「ＨＤ」と呼ぶ）装置を用いることによりデータの転送レートの高速化と大容量化を図る試みや、さらにパリティデータを記録しておくことにより、万一いずれかのＨＤ装置が故障しても信頼性を確保できるようにする試みがなされている。
【０００４】
これにより、放送局が提供しようとしている番組の内容や放送形態により要求されているチャンネル数が異なる場合であっても、複数のＡＶデータからなる素材データを分散的に記録しておき多チャンネル送出を同時に行ったり、同一の素材データを再生時間をずらして多チャンネルで再生することにより、ＶＯＤ（ビデオオンデマンド）やＮＶＯＤ（ニアビデオオンデマンド）等のシステムを構築する等、多様な使用形態に対応することのできるマルチチャンネルＡＶサーバを実現することができる。
【０００５】
このようなＡＶサーバに用いられるＨＤ装置には、１９８８年Ｐａｔｔｅｒｓｏｎ等によって発表された論文（‘A Case for Redundant Arrays of Inexpensive Disks（RAID）’, ACM SIGMOND Conference, Chicago, III, Jun.1-3,1988. ）に提唱されている、複数のＨＤからなるハードディスクドライブ（以下「ＨＤＤ  」と呼ぶ）をさらに複数台配列したＲＡＩＤ（Redundant Arrays of Inexpensiv  e Disks ）技術が用いられている。
【０００６】
上記論文の中でＲＡＩＤは、ＲＡＩＤ−１からＲＡＩＤ−５まで５つに分類されている。ＲＡＩＤ−１は２台のＨＤＤに同じ内容を書き込む方式である。ＲＡＩＤ−３は、入力データを一定の長さに分割して複数台のＨＤＤに記録するとともに、各ＨＤＤの互いに対応するデータブロックの排他的論理和であるパリティデータを生成して他の１台のＨＤＤに書き込む方式である。さらにＲＡＩＤ−５は、データの分割単位（ブロック）を大きくして、１つの分割データをデータブロックとして１台のＨＤＤに記録するとともに、各ＨＤＤの互いに対応するデータブロックの排他的論理和をとった結果（パリティデータ）をパリティブロックとして他のＨＤＤに記録するとともにパリティブロックを他のＨＤＤに分散する方式である。
その他のＲＡＩＤについては上記論文を参照されたい。
【０００７】
このＡＶサーバで複数のＡＶデータの同時記録・再生を行うためには、複数のチャンネルで同時に映像・音声信号（以下「ＡＶ信号」と呼ぶ）の入出力を行う必要がある。そこで、ＡＶサーバには、互いに独立して動作する複数の入出力ポートが設けられており、１つの入力ポート，出力ポートがそれぞれ１チャンネル分の入力，出力を行うようになっている。
【０００８】
しかし、各入出力ポートが全く同時に映像記録再生装置との間でＡＶデータの転送を行うと、ＡＶサーバ内で各入出力ポートと映像記録再生装置とを接続しているバスにそれらのＡＶデータが同時に流れることになるので、処理しきれなくなる。そこで、各入出力ポートに、バスの使用を許可するタイムスロット（＝時間間隔）を順番に割り当て、各入出力ポートが、基準ビデオ信号に同期して、それぞれ割り当てられたタイムスロット内でのみバスを介して映像記録再生装置との間でのＡＶデータの転送を行うようになっている。したがって、厳密にいえば複数のＡＶデータが同時に記録・再生されているわけではないが、タイムスロットよりも長い時間間隔でみると、複数のＡＶデータの同時記録・再生が実現されているといってよい。
【０００９】
ところで、放送局内でこうしたＡＶサーバを用いる場合には、現在どのようなＡＶデータがＡＶサーバで記録・再生されているか（すなわち各入出力ポートで現在どのようなＡＶデータが入出力中であるか）を、モニターで随時確認できるようになっていることが必要である。そのため、一般にＡＶサーバには、現在入出力中のＡＶ信号を同期信号とともにモニター用に出力する機能も備わっている。
【００１０】
従来のＡＶサーバでは、このモニター用の同期信号を、基準ビデオ信号から抽出した同期信号から再生して出力していた。
【００１１】
図３は、従来のＡＶサーバにおけるモニター用の信号の出力の様子を、２つの入出力ポートを有するＡＶサーバを例にとって示すものである。
【００１２】
外部よりＡＶサーバに供給される基準ビデオ信号から、タイミング信号生成部（図示略）により水平同期信号ＲＥＦＨＤ，垂直同期信号ＲＥＦＶＤ及びカラーフレーム同期信号（色副搬送波基準位相信号）ＲＥＦＣＦの抽出とクロック信号ＲＥＦＣＬＫ及びタイムスロット信号ＴＳの生成とが行われる。入出力ポート１０１，１０２には信号ＲＥＦＨＤ，ＲＥＦＶＤ，ＲＥＦＣＦ，ＲＥＦＣＬＫ及びＴＳが与えられ、モニター出力部１０３にも信号ＲＥＦＨＤ，ＲＥＦＶＤ，ＲＥＦＣＦ及びＲＥＦＣＬＫが与えられる。
【００１３】
入出力ポート１０１と１０２とは同一の構成をしており、外部より入力されたＡＶ信号に対しては、まず前処理回路１０４により、次の（ａ）〜（ｄ）の前処理が順に行われる。
【００１４】
（ａ）入力ＡＶ信号から、水平同期信号ＩＮＨＤ，垂直同期信号ＩＮＶＤ及びカラーフレーム同期信号ＩＮＣＦを抽出し、クロック信号ＩＮＣＬＫを生成する処理。
（ｂ）タイムベースコレクタによる時間軸補正処理。
（ｃ）ＡＶ信号からＶＩＴＣコードを読み取る処理。
（ｄ）帯域フィルターによりＡＶ信号から高域成分を除去する処理。
【００１５】
なお、ＡＶ信号が米国の規格のＮＴＳＣ信号である場合には、セットアップレベルを日本の規格のＮＴＳＣ信号と同じ０％に合わせる処理も、この前処理の一つとして行われる。
【００１６】
前処理回路１０４での前処理を終えたＡＶ信号は、モニター出力部１０３に送られるとともに、エンコーダ１０５により所定の符号化方式（例えばＭＰＥＧ）で圧縮される。この圧縮によって得られたＡＶデータは、バッファメモリ１０６に蓄積された後、タイムスロット信号ＴＳにより当該入出力ポートに割り当てられたタイムスロット内に、バス（図示略）を介して、ＲＡＩＤ技術を採用した記録再生部（図示略）に転送される。
【００１７】
他方、記録再生部からバスを介して転送されたＡＶデータは、バッファメモリ１０７に蓄積された後、デコーダ１０８により復号化（伸長）される（復号化の後にデコーダ１０８で各種の後処理を行う場合もある）。この復号化によって得られたＡＶ信号は、モニター出力部１０３に送られるとともに、ＡＶサーバの外部に出力される。
【００１８】
このようにして、入出力ポート１０１，１０２においてそれぞれ１チャンネル分のＡＶ信号の入力と１チャンネル分のＡＶ信号の出力とが同時に行われるとともに、これらの合計４チャンネル分のＡＶ信号がモニター出力部１０３に送られる。
【００１９】
モニター出力部１０３では、これらのＡＶ信号のうち、ＡＶサーバの操作者の操作によって指定されたいずれか１チャンネル分のＡＶ信号のみが、スイッチ回路１０９を経て同期信号再生回路１１０に入力される。
【００２０】
同期信号再生回路１１０は、クロック信号ＲＥＦＣＬＫを動作クロックとして、水平同期信号ＲＥＦＨＤ，垂直同期信号ＲＥＦＶＤ及びカラーフレーム同期信号ＲＥＦＣＦから基準ビデオ信号と位相の一致した水平同期信号ＲＥＦＨＤ’，垂直同期信号ＲＥＦＶＤ’及びカラーフレーム同期信号ＲＥＦＣＦ’を再生し、これらの同期信号ＲＥＦＨＤ’，ＲＥＦＶＤ’及びＲＥＦＣＦ’をＡＶ信号及びクロック信号ＲＥＦＣＬＫとともに出力する。
【００２１】
同期信号再生回路１１０から出力されたこれらの信号は、モニター出力部１０３からＡＶサーバの外部のモニター（図示略）に送られる。
【００２２】
この図３に示したように、モニター出力用の同期信号を、基準ビデオ信号から抽出した同期信号から再生しているのは、次のような理由からである。
一般に、ＡＶサーバでは、基準ビデオ信号と同期したＡＶ信号を、基準ビデオ信号と位相を一致させて入出力ポートから入力及び出力させている。
したがって、図３では、前処理回路１０４に入力するＡＶ信号やデコーダ１０８から出力されるＡＶ信号は、基準ビデオ信号と位相が一致している。
【００２３】
しかし、前処理回路１０４での処理には数ライン分程度の時間を要するので、前処理回路１０４から出力されるＡＶ信号は、前処理回路１０４に入力するＡＶ信号からは数ライン分遅延して（すなわち基準ビデオ信号と位相が一致しなくなって）いる。その結果、モニター出力部１０３には、前処理回路１０４とデコーダ１０８とから、互いに位相の一致しないＡＶ信号が送られることになる。
【００２４】
これらの互いに位相の一致しないＡＶ信号を、それぞれそのＡＶ信号に含まれる同期信号に同期してモニター表示すると、表示するＡＶ信号のチャンネルを切り換える際に、同期の不連続を原因とする画像の乱れが生じてしまう。
【００２５】
そこで、基準ビデオ信号から抽出した同期信号から再生した同期信号をモニターに送って、常にこの同期信号に同期して画像を表示することにより、チャンネルを切り換えても同期の不連続が生じないようにしている。
【００２６】
【発明が解決しようとする課題】
しかし、このように基準ビデオ信号から抽出した同期信号から再生した同期信号をモニターに送ることには、次の（１）や（２）のような不都合があった。
【００２７】
（１）現在入出力ポート１０１や１０２に入力中のＡＶ信号をモニター表示する際には、前処理回路１０４での遅延を原因とする画面の下方向への数ライン分の画像のずれはそのまま残ってしまう。
【００２８】
モニター出力部１０３内にフレームメモリを設け、同期信号再生回路１１０から出力したＡＶ信号をこのフレームメモリに一時的に蓄積した後モニターに送るようにすれば、この画像のずれを解消することは可能である。しかし、フレームメモリは高価なので、ＡＶサーバ全体の高コスト化を招いてしまう。
【００２９】
（２）外部よりＡＶサーバに伝送されるＡＶ信号には、基準ビデオ信号と同期したＡＶ信号だけでなく、例えばＳＮＧ（Satellite News Gathering＝衛星通信ニュース取材方式）やイーサネット等を利用したＡＶ信号のように基準ビデオ信号とは非同期のＡＶ信号も存在している。こうした基準ビデオ信号と非同期のＡＶ信号については、タイムベースコレクタで基準ビデオ信号に同期させることは困難なので、従来、一旦ＶＴＲに記録した後ＶＴＲから基準ビデオ信号に同期させて再生してＡＶサーバに入力させるか、あるいはフレームシンクロナイザで基準ビデオ信号に同期させてＡＶサーバに入力させるようにしていた。
【００３０】
しかし、近年は、特にニュース編集等において、基準ビデオ信号とは非同期のＡＶ信号をＡＶサーバに直接入力して記録することにより、素材の収録時にその編集作業を同時に行いたいという要求が強くなっている。
【００３１】
こうした要求に応える方式のひとつに、図３において、前処理回路１０４での前述の（ｂ）のタイムベースコレクタによる時間軸補正処理を省略し、前処理回路１０４での前述の（ｃ）の処理からバッファメモリ１０６への書き込みまでをクロック信号ＩＮＣＬＫを動作クロックとして（すなわち入力ＡＶ信号に同期して）行い、バッファメモリ１０６からの読み出しをクロック信号ＲＥＦＣＬＫを動作クロックとして（すなわち基準ビデオ信号に同期して）行うという方式がある。
【００３２】
本出願人は、出願番号特願平１１−１０９８３３の特許出願において、この方式を提案済みである。以下では、この方式を「インプットロック方式」と呼ぶことにする。また、従来は前処理回路１０４での（ｂ）の処理からバッファメモリ１０６からの読み出しまでを全てクロック信号ＲＥＦＣＬＫを動作クロックとして行っていたが、以下では、この従来の方式を「リファレンスロック方式」と呼ぶことにする。
【００３３】
このインプットロック方式によれば、バッファメモリ１０６をいわばフレームシンクロナイザとして利用して、基準ビデオ信号とは非同期のＡＶ信号を直接入出力ポート１０１や１０２に入力して記録再生部に記録させることができる。
【００３４】
しかし、このように基準ビデオ信号とは非同期のＡＶ信号を直接入出力ポート１０１や１０２に入力させると、前処理回路１０４からも基準ビデオ信号とは非同期のＡＶ信号がモニター出力部１０３に送られることになる。こうしたＡＶ信号がモニター出力部１０３からモニターに送られた際に、基準ビデオ信号から抽出した同期信号から再生した同期信号に同期して画像を表示すると、ＡＶ信号と基準ビデオ信号との周波数の相違を原因として、同期流れ（水平同期信号が画面の左右に流れるように表示される現象）が表れてしまう。
【００３５】
このように、基準ビデオ信号から抽出した同期信号から再生した同期信号をモニターに送る従来のＡＶサーバでは、インプットロック方式を採用しようとすると、現在入出力ポートに入力中のＡＶ信号をモニターに表示する際に同期流れが表れてしまう。
【００３６】
本発明は、上述の点に鑑み、ＡＶサーバにおいて、現在入出力ポートに入力中のＡＶ信号をモニター表示する際に、入出力ポートの前処理回路での遅延を原因とする画面の下方向への画像のずれをフレームメモリを設けることなく解消することや、インプットロック方式を採用した場合の同期流れを解消することを課題としてなされたものである。
【００３７】
【課題を解決するための手段】
この課題を解決するために、本出願人は、請求項１に記載のように、ノンリニアアクセス可能な記録媒体を用いてデータの記録及び再生を行う記録再生部と、外部より入力された映像信号からの同期信号の抽出及びクロック信号の生成を含む前処理を経て映像信号を記録再生部に転送し、記録再生部から転送された映像信号を外部に出力する少なくとも１つの入出力部と、外部より供給される基準ビデオ信号から同期信号の抽出及びクロック信号の生成を行うタイミング信号生成部と、入出力部での前処理を終えた映像信号と入出力部により外部に出力される映像信号とを切り換えてモニター用に出力するモニター出力部とを有しており、モニター出力部は、入出力部で抽出・生成された同期信号・クロック信号とタイミング信号生成部で抽出・生成された同期信号・クロック信号とのうちのいずれかを選択する選択手段と、この選択手段で選択されたクロック信号を動作クロックとして、この選択手段で選択された同期信号を用いて同期信号を再生する同期信号再生手段とを備え、この同期信号再生手段で再生した同期信号をモニター用に出力するようにした映像記録再生装置を提案する。
【００３８】
この映像記録再生装置では、モニター出力部に、入出力部で入力映像信号から抽出・生成した同期信号・クロック信号とタイミング信号生成部で基準ビデオ信号から抽出・生成した同期信号・クロック信号とのうちのいずれかを選択する選択手段と、その選択されたクロック信号を動作クロックとして、その選択された同期信号を用いて同期信号を再生する同期信号再生手段とが備えられており、この同期信号再生手段で再生された同期信号が、映像信号とともにモニター用に出力される。
【００３９】
入出力部での前処理を終えた映像信号をモニター用に出力する際に、その入出力部で抽出・生成した同期信号・クロック信号を選択手段で選択すれば、同期信号再生手段において、その映像信号自体から生成したクロック信号を動作クロックとして、その映像信号自体から抽出した同期信号から同期信号が再生され、この同期信号がモニター用に出力される。この同期信号に同期してモニターで画像を表示することにより、前処理での遅延を原因とする画面の下方向への画像のずれが生じなくなる。
【００４０】
また、基準ビデオ信号と非同期の映像信号が入出力部に入力され、入出力部での前処理を終えたその非同期の映像信号をモニター用に出力する際にも、その入出力部で抽出・生成した同期信号・クロック信号を選択手段で選択すれば、同期信号再生手段において、やはりその映像信号自体から生成したクロック信号を動作クロックとして、その映像信号自体から抽出した同期信号から同期信号が再生され、この同期信号がモニター用に出力される。この同期信号に同期してモニターで画像を表示することにより、基準ビデオ信号から抽出した同期信号から再生した同期信号に同期して画像を表示する場合のような同期流れが表れないようになる。
【００４１】
したがって、例えばＡＶサーバに本発明を適用すれば、現在入出力ポートに入力中のＡＶ信号をモニター表示する際に、フレームメモリを設けなくても、入出力ポートの前処理での遅延を原因とする画像のずれが解消され、また、インプットロック方式を採用した場合に、現在入出力ポートに入力中のＡＶ信号をモニターに表示する際の同期流れが解消される。
【００４２】
なお、この映像記録再生装置において、同期信号再生手段は、一例として請求項２に記載のように、選択手段で選択された同期信号を用いて、カラーフレームのスタート位置を示すパルスを生成するパルス生成手段と、このパルス生成手段で生成されたパルスを、選択手段で選択された同期信号が抽出された信号（入出力部からの同期信号が選択された場合には入力映像信号であり、タイミング信号生成部からの同期信号が選択された場合には基準ビデオ信号である）と位相が一致するまでシフトさせるシフト手段と、このシフト手段でシフトされたパルスから同期信号を生成する同期信号生成手段とで構成することが好適である。
【００４３】
次に、本出願人は、請求項３に記載のように、ノンリニアアクセス可能な記録媒体を用いてデータの記録及び再生を行う記録再生部と、外部より入力された映像信号からの同期信号の抽出及びクロック信号の生成を含む前処理を経て映像信号を記録再生部に転送し、記録再生部から転送された映像信号を外部に出力する少なくとも１つの入出力部と、外部より供給される基準ビデオ信号から同期信号の抽出及びクロック信号の生成を行うタイミング信号生成部と、入出力部での前処理を終えた映像信号と入出力部により外部に出力される映像信号とを切り換えてモニター用に出力するモニター出力部とを有する映像記録再生装置におけるモニター用信号の出力方法において、入出力部で抽出・生成された同期信号・クロック信号とタイミング信号生成部で抽出・生成された同期信号・クロック信号とのうちのいずれかを選択する第１ステップと、この第１ステップで選択したクロック信号を動作クロックとして、この第１ステップで選択した同期信号を用いて同期信号を再生する第２ステップと、この第２ステップで再生した同期信号を映像信号とともにモニター用に出力する第３ステップとを含んだものを提案する。
【００４４】
このモニター用信号の出力方法では、入出力部で入力映像信号から抽出・生成された同期信号・クロック信号とタイミング信号生成部で基準ビデオ信号から抽出・生成された同期信号・クロック信号とのうちのいずれかを選択し、その選択したクロック信号を動作クロックとして、その選択した同期信号を用いて同期信号を再生し、この再生した同期信号を映像信号とともにモニター用に出力する。
【００４５】
入出力部での前処理を終えた映像信号をモニター用に出力する際に、第１ステップにおいて、その入出力部で抽出・生成した同期信号・クロック信号を選択すれば、第２ステップにおいて、その映像信号自体から生成したクロック信号を動作クロックとして、その映像信号自体から抽出した同期信号から同期信号が再生される。この同期信号が第３ステップにおいて映像信号とともにモニター用に出力されるので、この同期信号に同期してモニターで画像を表示することにより、前処理での遅延を原因とする画面の下方向への画像のずれが生じなくなる。
【００４６】
また、基準ビデオ信号と非同期の映像信号が入出力部に入力され、入出力部での前処理を終えたこの非同期の映像信号をモニター用に出力する際にも、請求項４に記載のように、第１ステップにおいて、その入出力部で抽出・生成した同期信号・クロック信号を選択すれば、第２ステップにおいて、やはりその映像信号自体から生成したクロック信号を動作クロックとして、その映像信号自体から抽出した同期信号から同期信号が再生される。この同期信号が第３ステップにおいて映像信号とともにモニター用に出力されるので、この同期信号に同期してモニターで画像を表示することにより、基準ビデオ信号から抽出した同期信号から再生した同期信号に同期して画像を表示する場合のような同期流れが表れないようになる。
【００４７】
したがって、例えばＡＶサーバに本発明を適用すれば、現在入出力ポートに入力中のＡＶ信号をモニター表示する際に、フレームメモリを設けなくても、入出力ポートの前処理での遅延を原因とする画像のずれが解消され、また、インプットロック方式を採用した場合に、現在入出力ポートに入力中のＡＶ信号をモニターに表示する際の同期流れが解消される。
【００４８】
なお、このモニター用信号の出力方法においても、第２ステップでは、一例として請求項５に記載のように、第１ステップで選択した同期信号を用いて、カラーフレームのスタート位置を示すパルスを生成し、第１ステップで選択した同期信号が抽出された信号と位相が一致するまでそのパルスをシフトさせ、シフトしたそのパルスから同期信号を生成することが好適である。
【００４９】
【発明の実施の形態】
以下では、本発明をＡＶサーバに適用した例について説明する。
図１は、本発明を適用したＡＶサーバの全体構成を示す。このＡＶサーバは、２つの入出力ポート１，２と、モニター出力部３と、タイミング管理部４と、ファイル管理部５と、記録再生部６とを有している。入出力ポート１，２は、それぞれ下りバス７及び上りバス８を介して記録再生部６と接続されている。また、入出力ポート１，２は、それぞれ制御バス９を介してファイル管理部５と接続されている。
【００５０】
入出力ポート１と２とは同一の構成をしており、前処理回路１０，エンコーダ１１及びデコーダ１４が基板Ｓ１に搭載されるとともに、バッファメモリ１２及び１３が別の基板Ｓ２に搭載されている。各基板Ｓ１，Ｓ２には、その基板上の各部をデュアルポートメモリを介して制御するＣＰＵ（図示略）もそれぞれ搭載されている。
【００５１】
モニター出力部３は、スイッチ回路１５，同期信号再生回路１６及びそれらの制御用のＣＰＵ（図示略）を基板Ｓ３に搭載して成っている。同期信号再生回路１６の構成については後述する。
【００５２】
タイミング管理部４は、タイミング信号生成回路１７及びその制御用のＣＰＵ（図示略）を基板Ｓ４に搭載して成っている。タイミング信号生成回路１７は、外部より入力端子Ｒを通してＡＶサーバに供給される基準ビデオ信号から、水平同期信号ＲＥＦＨＤ，垂直同期信号ＲＥＦＶＤ及びカラーフレーム同期信号ＲＥＦＣＦを抽出するとともに、これらの同期信号から、クロック信号ＲＥＦＣＬＫと、バス７，８の使用を許可するタイムスロットを入出力ポート１，２に順番に割り当てるタイムスロット信号ＴＳを生成する。同期信号ＲＥＦＨＤ，ＲＥＦＶＤ，ＲＥＦＣＦ及びクロック信号ＲＥＦＣＬＫはＡＶサーバの各部に与えられ、入出力ポート１，２にはタイムスロット信号ＴＳも与えられる。
【００５３】
ファイル管理部５は、ファイルシステム１８及びその制御用のＣＰＵ（図示略）を基板Ｓ５に搭載して成っている。ファイルシステム１８は、記録再生部６で現在記録されているＡＶデータのファイル名とそのＡＶデータの記録領域のアドレスとの対応関係を示す情報や記録再生部６の現在の空き領域のアドレスを示す情報（ファイルシステム情報）を作成・管理する。入出力ポート１，２には、制御バス９を介してこのファイルシステム情報中の記録領域のアドレスや空き領域のアドレスが伝えられる。
【００５４】
記録再生部６は、映像データ記録用の複数台のＨＤＤ１９及び音声データ記録用の２台のＨＤＤ２０を設置するとともに、ＨＤＤ１９制御用のディスクアレイコントローラ２１，ＨＤＤ２０制御用のディスクアレイコントローラ２２，バッファメモリ２３及びそれらの制御用のＣＰＵ（図示略）を基板Ｓ６に搭載して成っている。記録再生部６はＲＡＩＤ技術を用いて構成されたものであり、映像データについてはＲＡＩＤ−３が採用され、音声データについてはＲＡＩＤ−１が採用されている。
【００５５】
外部より入力端子Ｉ１を通してこのＡＶサーバに入力されたＡＶ信号は入出力ポート１に送られ、外部より入力端子Ｉ２を通してこのＡＶサーバに入力されたＡＶ信号は入出力ポート２に送られる。入出力ポート１，２では、入力されたＡＶ信号に対して、まず前処理回路１０により、それぞれ次の（ａ）〜（ｄ）の前処理が順に行われる（但し、インプットロック方式では（ｂ）の処理は省略される）。
【００５６】
（ａ）入力ＡＶ信号から、水平同期信号ＩＮＨＤ，垂直同期信号ＩＮＶＤ及びカラーフレーム同期信号ＩＮＣＦを抽出し、これらの同期信号からクロック信号ＩＮＣＬＫを生成する処理。
（ｂ）タイムベースコレクタによる時間軸補正処理。
（ｃ）ＡＶ信号からＶＩＴＣコードを読み取る処理。
（ｄ）帯域フィルターによりＡＶ信号から高域成分を除去する処理。
【００５７】
なお、ＡＶ信号が米国の規格のＮＴＳＣ信号である場合には、セットアップレベルを日本の規格のＮＴＳＣ信号と同じ０％に合わせる処理も、この前処理の一つとして行われる。
【００５８】
前処理回路１０での前処理を終えたＡＶ信号は、エンコーダ１１に送られる。また、このＡＶ信号と前処理回路１０で抽出・生成された同期信号ＩＮＨＤ，ＩＮＶＤ，ＩＮＣＦ・クロック信号ＩＮＣＬＫとは、当該入出力ポートからモニター出力部３にも送られる。
【００５９】
エンコーダ１１では、ＡＶ信号が所定の符号化方式（例えばＭＰＥＧ）で圧縮される。この圧縮によって得られたＡＶデータは、バッファメモリ１２に蓄積された後、タイムスロット信号ＴＳにより当該入出力ポートに割り当てられたタイムスロット内に、ファイル管理部５から伝えられた空き領域へのＡＶデータの記録を指示するコマンドとともに、下りバス７を介して記録再生部６に転送される。
【００６０】
記録再生部６では、この転送されたＡＶデータがバッファメモリ２３に蓄積され、バッファメモリ２３から映像データ，音声データに分離して読み出されてそれぞれディスクアレイコントローラ２１，２２に送られる。ディスクアレイコントローラ２１は、記録指示のコマンドに基づき、映像データを一定の長さのブロックに分割して複数台のＨＤＤ１９内のそのコマンドの示す空き領域に記録し、かつ、それらのＨＤＤ１９の互いに対応するデータブロックの排他的論理和であるパリティデータを生成して別の１台のＨＤＤ１９内のそのコマンドの示す空き領域に書き込む。ディスクアレイコントローラ２２は、記録指示のコマンドに基づき、音声データを、２台のＨＤＤ２０内のそのコマンドの示す空き領域にそれぞれ書き込む。
【００６１】
他方、入出力ポート１や２が、ファイル管理部５から伝えられた記録領域のＡＶデータの再生を指示するコマンドを下りバス７を介して記録再生部６に転送すると、ディスクアレイコントローラ２１は、各ＨＤＤ１９内のそのコマンドの示す領域から映像データ及びパリティデータを読み出し、それらの映像データを単一化した後パリティデータを用いてエラー訂正することにより映像データを再生する。また、ディスクアレイコントローラ２２は、いずれか１台のＨＤＤ２０（そのＨＤＤ２０に障害がある場合には残りの１台のＨＤＤ２０）内のそのコマンドの示す領域から音声データを再生する。
【００６２】
ディスクアレイコントローラ２１，２２により再生された映像データ，音声データは、それぞれバッファメモリ２３に蓄積され、タイムスロット信号ＴＳにより当該入出力ポートに割り当てられたタイムスロット内に、バッファメモリ２３からＡＶデータに多重化されて読み出されて、上りバス８を介して当該入出力ポートに転送される。
【００６３】
入出力ポート１，２では、記録再生部６から転送されたＡＶデータが、バッファメモリ１３に蓄積された後、デコーダ１４により復号化（伸長）される（復号化の後にデコーダ１４で各種の後処理を行う場合もある）。この復号化によって得られたＡＶ信号は、モニター出力部３に送られるとともに、データ出力端子（入出力ポート１では端子Ｏ１、入出力ポート２では端子Ｏ２）を通してＡＶサーバの外部に出力される。
【００６４】
このようにして、入出力ポート１，２においてそれぞれ１チャンネル分のＡＶ信号の入力と１チャンネル分のＡＶ信号の出力とが同時に行われる（すなわちＡＶサーバ全体で２チャンネル分のＡＶ信号の入力と２チャンネル分のＡＶ信号の出力とが同時に行われる）とともにこれらの合計４チャンネル分のＡＶ信号がモニター出力部３に送られ、さらに、入出力ポート１，２への入力ＡＶ信号から抽出・生成された同期信号ＩＮＨＤ，ＩＮＶＤ，ＩＮＣＦ及びクロック信号ＩＮＣＬＫもモニター出力部３に送られる。
【００６５】
モニター出力部３では、これらの４チャンネル分のＡＶ信号及び同期信号ＩＮＨＤ，ＩＮＶＤ，ＩＮＣＦ及びクロック信号ＩＮＣＬＫが、スイッチ回路１５に入力される。ＡＶサーバの操作キー（図示略）中には、これらの４チャンネル分のＡＶ信号のうちいずれか１チャンネルのＡＶ信号をモニター出力用に指定するためのキーが含まれており、スイッチ回路１５からは、そのキーの操作によって指定されたＡＶ信号と、そのＡＶ信号を送った入出力ポートから送られた同期信号ＩＮＨＤ，ＩＮＶＤ，ＩＮＣＦ及びクロック信号ＩＮＣＬＫのみが出力される。すなわち、例えば入出力ポート１で入力中または出力中のＡＶ信号を操作者が指定したときには、そのＡＶ信号とともに、入出力ポート１から送られた同期信号ＩＮＨＤ，ＩＮＶＤ，ＩＮＣＦ及びクロック信号ＩＮＣＬＫがスイッチ回路１５から出力される。
【００６６】
スイッチ回路１５から出力されたＡＶ信号，同期信号ＩＮＨＤ，ＩＮＶＤ，ＩＮＣＦ及びクロック信号ＩＮＣＬＫは、同期信号再生回路１６に入力される。
【００６７】
図２は、同期信号再生回路１６の構成を示す。同期信号再生回路１６は、セレクタ３１，カラーフレームスタートパルス生成回路３２，パルスシフト回路３３及び同期信号生成回路３４から成っている。
【００６８】
スイッチ回路１５から同期信号再生回路１６に入力された同期信号ＩＮＨＤ，ＩＮＶＤ，ＩＮＣＦ及びクロック信号ＩＮＣＬＫは、セレクタ３１に入力される。また、セレクタ３１には、タイミング管理部４から与えられた水平同期信号ＲＥＦＨＤ，垂直同期信号ＲＥＦＶＤ，カラーフレーム同期信号ＲＥＦＣＦ及びクロック信号ＲＥＦＣＬＫも入力される。
【００６９】
ＡＶサーバの操作キー中には、モニター出力用の同期信号を同期信号ＩＮＨＤ，ＩＮＶＤ，ＩＮＣＦ及びクロック信号ＩＮＣＬＫと同期信号ＲＥＦＨＤ，ＲＥＦＶＤ，同期信号ＲＥＦＣＦ及びクロック信号ＲＥＦＣＬＫとのうちのいずれから再生するかを指定するためのキーも含まれており、セレクタ３１では、そのキーの操作によって指定されたほうの同期信号及びクロック信号が選択される。セレクタ３１で選択された同期信号（水平同期信号ＨＤ，垂直同期信号ＶＤ及びカラーフレーム同期信号ＣＦと表す）はカラーフレームスタートパルス生成回路３２に入力され、セレクタ３１で選択されたクロック信号（ＣＬＫと表す）はカラーフレームスタートパルス生成回路３２，パルスシフト回路３３及び同期信号生成回路３４に動作クロックとして与えられる。
【００７０】
カラーフレームスタートパルス生成回路３２では、入力された水平同期信号ＨＤ，垂直同期信号ＶＤ及びカラーフレーム同期信号ＣＦから、カラーフレームのスタート位置を示すカラーフレームスタートパルスＳＰを生成する。
【００７１】
パルスシフト回路３３では、このカラーフレームスタートパルスＳＰを、セレクタ３１で選択された同期信号ＨＤ，ＶＤ，ＣＦが抽出された信号と位相が一致するまでシフトさせる。すなわち、セレクタ３１で同期信号ＩＮＨＤ，ＩＮＶＤ，ＩＮＣＦ及びクロック信号ＩＮＣＬＫが選択されたときには、カラーフレームスタートパルスＳＰを、入出力ポート１，２のうち同期信号再生回路１６に入力されたＡＶ信号の送り元の入出力ポートへの入力ＡＶ信号と位相が一致するまでシフトさせる。他方、セレクタ３１で同期信号ＲＥＦＨＤ，ＲＥＦＶＤ，ＲＥＦＣＦ及びクロック信号ＲＥＦＣＬＫが選択されたときには、カラーフレームスタートパルスＳＰを、基準ビデオ信号と位相が一致するまでシフトさせる。
【００７２】
同期信号生成回路３４では、このシフトしたカラーフレームスタートパルスＳＰから、モニター用の水平同期信号ＨＤ’，垂直同期信号ＶＤ’，カラーフレーム同期信号ＣＦ’を生成する。
【００７３】
したがって、セレクタ３１で同期信号ＩＮＨＤ，ＩＮＶＤ，ＩＮＣＦ及びクロック信号ＩＮＣＬＫが選択されたときには、クロック信号ＩＮＣＬＫを動作クロックとして、同期信号再生回路１６に入力されたＡＶ信号の送り元の入出力ポートへの入力ＡＶ信号と位相の一致した同期信号ＨＤ’，ＶＤ’，ＣＦ’が再生される。他方、セレクタ３１で同期信号ＲＥＦＨＤ，ＲＥＦＶＤ，ＲＥＦＣＦ及びクロック信号ＲＥＦＣＬＫが選択されたときには、クロック信号ＲＥＦＣＬＫを動作クロックとして、基準ビデオ信号と位相の一致した同期信号ＨＤ’，ＶＤ’，ＣＦ’が再生される。
【００７４】
この同期信号ＨＤ’，ＶＤ’，ＣＦ’は、同期信号再生回路１６に入力されたＡＶ信号及びセレクタ３１で選択されたクロック信号ＣＬＫとともに、同期信号再生回路１６から出力される。同期信号再生回路１６から出力されたこれらの信号は、図１に示すように、モニター出力部３からモニター出力端子Ｍを通してＡＶサーバの外部に出力されて、外部のモニター（図示略）に送られる。
【００７５】
次に、このＡＶサーバにおけるモニター用の信号の出力の様子を、リファレンスロック方式の場合と、インプットロック方式を採用した場合とに分けて説明する。
【００７６】
〔リファレンスロック方式の場合〕
リファレンスロック方式の場合には、バッファメモリ１３及びデコーダ１４がクロック信号ＲＥＦＣＬＫを動作クロックとするだけでなく、前処理回路１０での（ｂ）の処理からバッファメモリ１２からの読み出しまでが全てクロック信号ＲＥＦＣＬＫを動作クロックとして行われる。そして、基準ビデオ信号と同期したＡＶ信号が、基準ビデオ信号と位相を一致させて入出力ポート１，２から入力及び出力されるので、前処理回路１０に入力するＡＶ信号やデコーダ１４から出力されるＡＶ信号は、基準ビデオ信号と位相が一致している。しかし、前処理回路１０での処理には数ライン分程度の時間を要するので、前処理回路１０から出力されるＡＶ信号は、前処理回路１０に入力するＡＶ信号からは数ライン分遅延して（すなわち基準ビデオ信号と位相が一致しなくなって）いる。
【００７７】
この場合に、ＡＶサーバの操作者が、モニター出力用のＡＶ信号として現在入出力ポート１または２に入力中のＡＶ信号を指定した際に、モニター出力用の同期信号を同期信号ＩＮＨＤ，ＩＮＶＤ，ＩＮＣＦ及びクロック信号ＩＮＣＬＫから再生することを指定すると、同期信号再生回路１６では、当該入出力ポートに入力したＡＶ信号自体から作成したクロック信号ＩＮＣＬＫを動作クロックとして、このＡＶ信号自体から抽出した同期信号ＩＮＨＤ，ＩＮＶＤ，ＩＮＣＦから同期信号ＨＤ’，ＶＤ’，ＣＦ’が再生される。そして、この同期信号ＨＤ’，ＶＤ’，ＣＦ’がこのＡＶ信号及びこのクロック信号ＩＮＣＬＫとともにＡＶサーバからモニターに送られる。
【００７８】
この同期信号ＨＤ’，ＶＤ’，ＣＦ’に同期してモニターで画像を表示することにより、従来のような前処理回路１０での遅延を原因とする画面の下方向への数ライン分の画像のずれが生じなくなる。
【００７９】
このように、このＡＶサーバでは、現在入出力ポート１や２に入力中のＡＶ信号をモニターに表示する際に、フレームメモリを設けなくても、前処理回路１０での遅延を原因とする画像のずれが解消される。
【００８０】
ただし、モニター出力用の同期信号を常に同期信号ＲＥＦＨＤ，ＲＥＦＶＤ，ＲＥＦＣＦ及びクロック信号ＲＥＦＣＬＫから再生するのではないので、モニターに表示するＡＶ信号のチャンネルの切換え時には、同期の不連続を原因とする画像の乱れが生じ得る。
【００８１】
なお、ＡＶサーバの操作者が、モニター出力用の同期信号を常に同期信号ＲＥＦＨＤ，ＲＥＦＶＤ，ＲＥＦＣＦ及びクロック信号ＲＥＦＣＬＫから再生することを指定すれば、現在入出力ポート１や２に入力中のＡＶ信号をモニターに表示する際に画像が画面の下方向に数ライン分ずれる代わりに、同期の不連続を原因とする画像の乱れは生じなくなる。
【００８２】
このように、このＡＶサーバでは、リファレンスロック方式の場合に、モニターに表示するＡＶ信号のチャンネルの切換え時に同期の不連続を原因とする画像の乱れが生じる代わりに、現在入出力ポート１や２に入力中のＡＶ信号をモニターに表示する際の画面の下方向への画像のずれをフレームメモリを設けることなく解消するか、あるいは、現在入出力ポート１や２に入力中のＡＶ信号をモニターに表示する際には画面の下方向への画像のずれが生じる代わりに、モニターに表示するＡＶ信号のチャンネルの切換え時に同期の不連続を原因とする画像の乱れが生じないようにするかを、操作者が自由に決定することができる。
【００８３】
〔インプットロック方式の場合〕
インプットロック方式を採用した場合には、前処理回路１０での前述の（ｂ）のタイムベースコレクタによる時間軸補正処理が省略され、前処理回路１０での前述の（ｃ）の処理からバッファメモリ１２への書き込みまではクロック信号ＩＮＣＬＫを動作クロックとして（すなわち入力ＡＶ信号に同期して）行なわれ、バッファメモリ１２からの読み出しはクロック信号ＲＥＦＣＬＫを動作クロックとして（すなわち基準ビデオ信号に同期して）行われることにより、バッファメモリ１２をいわばフレームシンクロナイザとして利用して、例えばＳＮＧやイーサネット等を利用したＡＶ信号のように基準ビデオ信号とは非同期のＡＶ信号を、直接入出力ポート１や２に入力して記録再生部６に記録させることができる。
【００８４】
しかし、このように基準ビデオ信号とは非同期のＡＶ信号を直接入出力ポート１や２に入力させると、前処理回路１０からも基準ビデオ信号とは非同期のＡＶ信号がモニター出力部３に送られることになる。
【００８５】
この場合に、ＡＶサーバの操作者が、モニター出力用のＡＶ信号として現在入出力ポート１または２に入力中のＡＶ信号を指定した際に、モニター出力部３の同期信号再生回路１６のセレクタ３１に水平同期信号ＩＮＨＤ，垂直同期信号ＩＮＶＤ，カラーフレーム同期信号ＩＮＣＦ及びクロック信号ＩＮＣＬＫを選択させることを指定すると、同期信号再生回路１６では、当該入出力ポートに入力したＡＶ信号自体から作成したクロック信号ＩＮＣＬＫを動作クロックとして、このＡＶ信号自体から抽出した同期信号ＩＮＨＤ，ＩＮＶＤ，ＩＮＣＦから同期信号ＨＤ’，ＶＤ’，ＣＦ’が再生される。そして、この同期信号ＨＤ’，ＶＤ’，ＣＦ’がこのＡＶ信号及びこのクロック信号ＩＮＣＬＫとともにＡＶサーバからモニターに送られる。
【００８６】
この同期信号ＨＤ’，ＶＤ’，ＣＦ’に同期してモニターで画像を表示することにより、基準ビデオ信号から抽出した同期信号から再生した同期信号に同期して画像を表示する場合のような同期流れが表れないようになる。
【００８７】
このように、このＡＶサーバでは、インプットロック方式を採用しても、現在入出力ポート１や２に入力中のＡＶ信号をモニターに表示する際に、同期流れが表れないようになる。
【００８８】
なお、以上の例では２つの入出力ポートを有するＡＶサーバに本発明を適用しているが、１または３以上の入出力ポートを有するＡＶサーバにも本発明を適用してよい。
【００８９】
また、以上の例では１つのモニター出力部を有するＡＶサーバに本発明を適用しているが、複数の入出力ポートの各々に対して個別に（入出力ポートの数だけ）モニター出力部を有するＡＶサーバにも本発明を適用してよい。
【００９０】
また、以上の例では入力ポートと出力ポートとを一体とした入出力ポートを有するＡＶサーバに本発明を適用しているが、入力ポートと出力ポートとを別体として有するＡＶサーバにも本発明を適用してよい。
【００９１】
また、以上の例ではＲＡＩＤ技術を採用してＨＤＤにＡＶデータを記録するＡＶサーバに本発明を適用しているが、ＲＡＩＤ技術を採用することなくＨＤＤにＡＶデータを記録するＡＶサーバや、ＨＤ以外のノンリニアアクセス可能な記録媒体（例えば半導体メモリや光ディスク）にＡＶデータを記録するＡＶサーバにも本発明を適用してもよい。
【００９２】
また、本発明は、ＡＶデータを記録・再生する機能に加えてＡＶデータを編集する機能を備えたＡＶサーバにも適用してもよい。
また、本発明は、ＡＶサーバ以外の、複数チャンネルで同時に映像信号を入出力するとともに、現在入出力中の映像信号をモニター用に出力する映像記録再生装置にも適用してもよい。
また、本発明は、以上の例に限らず、本発明の要旨を逸脱することなく、その他様々の構成をとりうることはもちろんである。
【００９３】
【発明の効果】
以上のように、本発明に係る映像記録再生装置やモニター用信号の出力方法によれば、入出力部での前処理を終えた映像信号をモニター用に出力する際に、モニターに表示される画像が入出力部の前処理での遅延を原因として画面の下方向にずれることがなくなるという効果が得られる。
また、基準ビデオ信号と非同期の映像信号を入出力部に入力し、入出力部での前処理を終えたこの非同期の映像信号をモニター用に出力する際に、モニターに同期流れが表れなくなるという効果が得られる。
【００９４】
したがって、例えばＡＶサーバに本発明を適用すれば、現在入出力ポートに入力中のＡＶ信号をモニターに表示する際に、フレームメモリを設けなくても、入出力ポートの前処理での遅延を原因とする画像のずれが解消され、また、インプットロック方式を採用した場合に、現在入出力ポートに入力中のＡＶ信号をモニターに表示する際の同期流れが解消される。
【図面の簡単な説明】
【図１】本発明を適用したＡＶサーバの全体構成例を示すブロック図である。
【図２】図１の同期信号再生回路の構成例を示すブロック図である。
【図３】従来のＡＶサーバにおけるモニター用の信号の出力の様子を示す図である。
【符号の説明】
１，２  入出力ポート、  ３  モニター用出力部、  ４  タイミング管理部、５  ファイル管理部、  ６  記録再生部、  ７  下りバス、  ８  上りバス、９  制御バス、  １０  前処理回路、  １１  エンコーダ、  １２，１３，２３  バッファメモリ、  １４  デコーダ、  １５  スイッチ回路、  １６  同期信号再生回路、  １７  タイミング信号生成回路、  １８  ファイルシステム、１９，２０  ＨＤＤ、  ２１，２２  ディスクアレイコントローラ、  ３１  セレクタ、  ３２  カラーフレームスタートパルス生成回路、  ３３  パルスシフト回路、  ３４  同期信号生成回路、  Ｓ１〜Ｓ６  基板
【図１】
0004144137.tif 000002
【図２】
0004144137.tif 000003
【図３】
0004144137.tif 000004